(57)【要約】      （修正有）【課題】大引梁と大引梁受け金物の連結作業を、大引梁の設置作業と一体にできる、大引梁受け金物を提供する。【解決手段】大引梁２を土台や梁等の横架材に連結するための大引梁受け金物１であって、大引梁支持部１０と、横架材連結部１１と、を有し、前記大引梁支持部１０は、対向する側板とこれを連結する底板とからなる略Ｕ字状であり、前記横架材連結部１１は、前記大引梁支持部１０の前記対向する側板の側辺から直角に立設し、横架材３と連結するための連結具挿通孔を有し、前記対向する側板は、対向するそれぞれの面に爪状突起を有することを特徴とする、大引梁受け金物１。【選択図】図１
0003181105.tif 000002
【実用新案登録請求の範囲】
【請求項１】
大引梁を土台や梁等の横架材に連結するための大引梁受け金物であって、
大引梁支持部と、横架材連結部と、を有し、
前記大引梁支持部は、対向する側板とこれを連結する底板とからなる略Ｕ字状であり、
前記横架材連結部は、前記大引梁支持部の前記対向する側板の側辺から直角に立設し、横架材と連結するための連結具挿通孔を有し、
前記対向する側板は、対向するそれぞれの面に爪状突起を有することを特徴とする、
大引梁受け金物。
【請求項２】
請求項１に記載の大引梁受け金物において、
前記大引梁支持部の前記底板に大引梁固定孔を有することを特徴とする、
大引梁受け金物。
【考案の詳細な説明】
【技術分野】
【０００１】
本考案は、木造住宅において、大引梁を土台や梁等の横架材に固定する際に使用する、大引梁受け金物に関するものである。
【背景技術】
【０００２】
従来の大引梁と土台や梁等の横架材は、横架材に固定した大引梁受け金物に大引梁を据え付けた後、大引梁受け金物の側面にあけた挿通孔を通して、釘等の接合具を大引梁の側面に挿通することによって、大引梁受け金物を介して大引梁を横架材に連結していた。
【先行技術文献】
【特許文献】
【０００３】
【特許文献１】特開平１０−８８６６８
【考案の概要】
【考案が解決しようとする課題】
【０００４】
上述した従来の大引梁受け金物には次のような問題点がある。
＜１＞従来の大引梁受け金物では、大引梁を設置する作業の後に、さらに接合具によって両者を連結する作業があり、手間がかかっていた。
＜２＞従来の大引梁受け金物では、大引梁の接合具による連結作業を、隣り合う大引梁同士の間の空間で行う必要があった。この為、作業空間の制約から施工が難しかった。また、例えば横架材の端部などでは、大引梁の側面に隣り合う横架材が密接している為、横架材等が邪魔になり、接合具による連結ができなかった。この場合、大引梁受け金物と大引梁の連結が十分でなかった。
＜３＞木造住宅は建築後数年を経ると、大引梁の乾燥収縮（木やせ）によって、大引梁と金具との間に隙間が生じ、床鳴りが発生することがあったが、従来の大引梁受け金物は、床鳴りの解消するための有効な手段を具備していなかった。
【課題を解決するための手段】
【０００５】
上記目的を達成するためになされた本願の第１考案は、大引梁を土台や梁等の横架材に連結するための大引梁受け金物であって、大引梁支持部と、横架材連結部と、を有し、前記大引梁支持部は、対向する側板とこれを連結する底板とからなる略Ｕ字状であり、前記横架材連結部は、前記大引梁支持部の前記対向する側板の側辺から直角に立設し、横架材と連結するための連結具挿通孔を有し、前記対向する側板は、対向するそれぞれの面に爪状突起を有することを特徴とする、大引梁受け金物を提供する。
本願の第２考案は、第１考案の大引梁受け金物であって、前記大引梁支持部の前記底板に大引梁固定孔を有することを特徴とする、大引梁受け金物を提供する。
【考案の効果】
【０００６】
本考案は、上記した課題を解決するための手段により、次のような効果の少なくとも一つを得ることができる。
＜１＞本考案の大引梁受け金物は、大引梁と大引梁受け金物の連結作業を、大引梁の設置作業と一体にできる。これによって木造建築物の工程を減らし、工期を短縮することができる。
＜２＞本考案の大引梁受け金物は、大引梁との連結作業において、接合具による連結のための作業空間を必要としない。その為、従来は作業空間の制約から連結できなかった部位においても大引梁と大引梁受け金物を連結することができ、施工品質が向上する。
＜３＞本考案の大引梁受け金物は、供用後の住宅に木やせによる床鳴りが生じた場合、底板に設けた大引梁固定孔から大引梁へ木ねじ等を挿通し、底板を大引梁に密着させることで大引梁と大引梁受け金物との隙間を無くし、床鳴りを解消することができる。
【図面の簡単な説明】
【０００７】
【図１】本考案の大引梁受け金物の使用状態の説明図
【図２】本考案の大引梁受け金物の斜視図
【図３】本考案の大引梁受け金物による大引梁の連結の説明図
【図４】本考案の大引梁受け金物による床鳴り解消方法の説明図
【考案を実施するための形態】
【０００８】
以下、図面を参照しながら本考案の大引梁受け金物の実施の形態を詳細に説明する。
【０００９】
[１]本考案の構成
本考案の大引梁受け金物１は、大引梁２と基礎４上に配置した横架材３を連結するためのものである。（図１）
本考案の大引梁受け金物１は、大引梁支持部１０と、横架材連結部１１とからなる。大引梁支持部１０には側板１０１と、底板１０２と、爪状突起１０３と、大引梁固定孔１０４とを有する。横架材連結部１１には連結具挿通孔１１１を有する。（図２）
以下、主な構成部材について詳述する。
【００１０】
＜１＞大引梁支持部
大引梁支持部１０は、大引梁２の底面を受ける底板１０２と、底板１０２の左右両端から直角に立設して大引梁２の側面を支持する側板１０１からなる、断面略Ｕ字状の部分である。
側板１０１の対向するそれぞれの面には、爪状突起１０３を突設する。
底板１０２の中央付近には、木ねじ等の大引梁固定具を挿通する為の大引梁固定孔１０４を穿設する。
【００１１】
＜１−１＞爪状突起
爪状突起１０３は、側板１０１の相対向する平面上に設けられた突起である。
爪状突起１０３は、側板１０１の底板１０２側に底辺を向けた三角錐状とする。
爪状突起１０３は、側板１０１をプレス加工することによって形成する。爪状突起１０３は、プレス加工による切り込み部分が三角錐の底面三角形となる。
本実施例において、爪状突起１０３は、対向する側板１０１にそれぞれ１つずつ突設するが、これを上下にまたは左右に並べて複数突設してもよい。
【００１２】
＜１−２＞大引梁固定孔
大引梁固定孔１０４は、底板１０２の中央付近に穿設した、木ねじ等の大引梁固定具を挿通する為の孔である。大引梁固定孔１０４の内寸は適用する大引梁固定具の外径に対応させることができる。
本実施例において、大引梁固定孔１０４は、底版１２に１つ穿設するが、複数設けてもよい。
【００１３】
＜２＞横架材連結部
横架材連結部１１は、大引梁支持部１０の側板１０１の側辺から立設した矩形の平面部分であり、側板１０１の側辺と横架材連結部１１のなす角を直角とする。
横架材連結部１１には木ねじや釘等の連結具を挿通する為の連結具挿通孔１１１を有する。
【００１４】
[２]本考案の使用形態
次に、本考案の大引梁受け金物１の使用形態について詳説する。
【００１５】
＜１＞大引梁受け金物の取付
設計に基づいて、横架材３の室内側の側面に大引梁受け金物１を設置する。この際、大引梁支持部１０の向きは、底板１０２が下側になるように配置する。
続いて、連結具挿通孔１１１に釘又は木ねじ等の連結具を挿通し、大引梁受け金物１を横架材３に連結する。（図１）
【００１６】
＜２＞大引梁の嵌合
大引梁２の端部を、大引梁受け金物１の大引梁支持部１０に嵌合する。
大引梁支持部１０の内幅、つまり底板１０２の相対する側板１０１間の幅は大引梁２の規格幅に対応する。
大引梁支持部１０の二枚の側板１０１間に大引梁２を挟持させて、大引梁２の上面を木槌で叩き込む等して完全に嵌合させる。（図３ａ、ｂ）
【００１７】
＜３＞爪状突起による連結
爪状突起１０３が三角錐状である場合、木槌の打撃等により、大引梁２が大引梁支持部１０の二枚の側板１０１の間を底板１０２方向へ進む。
この過程において、大引梁２の側面に爪状突起１０３の三角錐頂点部分が接触し、くさび状に食い込む。
こうして、大引梁２の嵌合と連動して、側板１０１の内面側に突設した爪状突起１０３が大引梁２の両側面に食い込み、大引梁２の引き上げ方向への力に三角錐の底面で抵抗することにより、大引梁２を大引梁受け金物１に強固に連結する。
【００１８】
このように、本考案の大引梁受け金物１は、大引梁２との連結作業を、大引梁２の設置作業と一体にできる。これによって木造建築物の工程を減らし、工期を短縮することができる。
【００１９】
さらに、本考案の大引梁受け金物１は、大引梁２と大引梁受け金物１の連結作業において、接合具による連結のための作業空間を必要としない。その為、従来は作業空間の制約から連結できなかった横架材３の端部等においても大引梁２と大引梁受け金物１を連結することができ、施工の品質が向上する。
【００２０】
[３]床鳴り解消方法
続いて、本考案の大引梁受け金物１による床鳴り解消方法について以下に詳説する。
【００２１】
＜１＞床鳴りの発生
床鳴りが発生する仕組みは以下の通りである。
床下に設置された大引梁２は年を経ると乾燥収縮（木やせ）を起こす。
これによって大引梁２の断面積が縮小し、大引梁２と大引梁受け金物１の間に隙間が生じる。（図４ａ）
その結果、歩行による床上の振動等により、大引梁受け金物１の内部で大引梁２が揺動し、大引梁受け金物１や他の梁材に接触することにより床鳴りが発生する。
【００２２】
＜２＞床鳴りの解消
以上より、床鳴りを解消するためには、木やせした大引梁２と大引梁受け金物１を再度密着させる事が必要である。
大引梁２が木やせした場合、大引梁固定孔１０４より大引梁支持部１０内の大引梁の底面に固定具を螺入する。固定具は例えば木ねじである。
固定具を締め付けることにより、大引梁支持部１０の底板１０２が大引梁固定孔１０４を中心に大引梁の底面方向に引き寄せられ、底板１０２の内面と大引梁の底面が密着する。（図４ｂ）
これにより、大引梁２と大引梁受け金物１が再度密着し、床鳴りが解消する。
【００２３】
このように、本考案の大引梁受け金物１は、供用後の住宅に木やせによる床鳴りが生じた場合、底板１０２に設けた大引梁固定孔１０４から大引梁２へ木ねじ等を挿通し、底板１０２を大引梁２に密着させることで大引梁２と大引梁受け金物１との隙間を無くし、床鳴りを解消することができる。
【符号の説明】
【００２４】
１      大引梁受け金物
１０    大引梁支持部
１０１  側板
１０２  底板
１０３  爪状突起
１０４  大引梁固定孔
１１    横架材連結部
１１１  連結具挿通孔
２      大引梁
３      横架材
４      基礎
【図１】
0003181105.tif 000003
【図２】
0003181105.tif 000004
【図３】
0003181105.tif 000005
【図４】
0003181105.tif 000006